(57)【特許請求の範囲】
【請求項１】
固形石鹸を収容可能なケースと、
前記固形石鹸に接触可能な位置に配置された切削刃と、
前記ケース内において前記固形石鹸を回転させつつ前記切削刃に向けて押し出すことが可能な駆動部と、を有して構成され、
前記切削刃によって削り出された前記固形石鹸を切り離すことが可能な切刃を備える、
ことを特徴とする携帯石鹸。
【請求項２】
請求項１に記載の携帯石鹸であって、
前記ケースは、前記切削刃が形成された上面と、該上面を基端として一方向に延出された筒状体と、を有し、
前記筒状体の内壁には、一端から他端に亘って内ネジが形成されており、
前記駆動部は、前記ケースの内ネジと螺合可能な外ネジが形成され、かつ、前記固形石鹸を固定することが可能な石鹸台座と、前記固形石鹸を介して前記石鹸台座を回転させることが可能な回転操作部と、を有し、
前記回転操作部によって前記固形石鹸を介して前記石鹸台座を回転させると、該固形石鹸および該石鹸台座が前記筒状体の内壁に沿って前記切削刃に向けて移動し、該切削刃によって前記固形石鹸の一部が削り出される、
ことを特徴とする携帯石鹸。
【請求項３】
請求項１または２に記載の携帯石鹸であって、
前記固形石鹸は前記切削刃に向けて一方向に移動可能に構成されている、
ことを特徴とする携帯石鹸。
【発明の詳細な説明】
【技術分野】
【０００１】
本発明は、携帯して持ち運ぶことが可能な携帯石鹸に関する。
【背景技術】
【０００２】
従来、口紅やリップクリーム等を棒状に成型し、収容容器から出し入れ可能とした化粧品等が広く知られている。
【０００３】
また、このような構造を採用した石鹸・洗剤として、内部で固形石鹸を移動可能に収納できるスリーブと、固形石鹸をスリーブの先端開口から押出可能に構成された押出機構を備えた泡立て具（例えば、特許文献１参照）や、押出し可能又は出し入れ可能に棒状洗剤が収容された容器付棒状洗剤（例えば、特許文献２参照）等が提案されている。
【先行技術文献】
【特許文献】
【０００４】
【特許文献１】特開２００６−２３９３３８号公報
【特許文献２】実開昭５７−０２１６５５号公報
【発明の概要】
【発明が解決しようとする課題】
【０００５】
しかしながら、特許文献１に記載の泡立て具は、石鹸を携帯して持ち運ぶことができるという利点があるものの、石鹸の泡立てに利用するものであるため、固形石鹸に付着した水滴等を使用後に拭き取る作業が必要となり、利便性が低い上に、使用の仕方によっては固形石鹸が歪（いびつ）な形に変形し、使い勝手が悪くなってしまうといった問題点があった。
【０００６】
また、特許文献２に記載の容器付棒状洗剤は、手荒れの原因となる強力洗剤に手を触れなくて済むという利点があるものの、固形洗剤を濡れた衣類等に擦り付けて利用するものであるため、固形洗剤に付着した水滴等を使用後に拭き取る作業が必要となり、利便性が低い上に、使用の仕方によっては固形洗剤が歪な形に変形し、使い勝手が悪くなってしまうといった問題点があった。
【０００７】
本発明は、このような従来の問題を解消するためになされたものであって、薄型形状で水溶性の高い石鹸を好みに応じて排出することができる上に、ケース内の石鹸に水や雑菌等が直接、付着することがなく、石鹸を無駄なく最後まで使い切ることができる携帯石鹸を提供することを目的とする。
【課題を解決するための手段】
【０００８】
本発明に係る携帯石鹸は、固形石鹸を収容可能なケースと、前記固形石鹸に接触可能な位置に配置された切削刃と、前記ケース内において前記固形石鹸を回転させつつ前記切削刃に向けて押し出すことが可能な駆動部と、を有して構成され、前記切削刃によって削り出された前記固形石鹸を切り離すことが可能な切刃を備える、ことを特徴とする携帯石鹸である。
【発明の効果】
【０００９】
本発明に係る携帯石鹸によれば、薄型形状で水溶性の高い石鹸を好みに応じて排出することができる上に、ケース内の石鹸に水や雑菌等が直接、付着することがなく、石鹸を無駄なく最後まで使い切ることができるという優れた効果を奏し得る。
【図面の簡単な説明】
【００１０】
【図１】携帯石鹸１０の斜視図である。
【図２】携帯石鹸１０の一部断面図である。
【図３】固形石鹸を排出している状態の携帯石鹸１０を上方から見た平面図である。
【発明を実施するための形態】
【００１１】
以下、図面を用いて、本実施形態に係る携帯石鹸１０について説明する。
【００１２】
＜全体構造＞
最初に、携帯石鹸の全体構成について説明する。
【００１３】
図１は、携帯石鹸１０の斜視図であり、図２は、携帯石鹸１０の一部断面図であり、図３は、固形石鹸を排出している状態の携帯石鹸１０を上方から見た平面図である。
【００１４】
携帯石鹸１０は、固形石鹸Ｓを収容可能な筒状のケース１２と、このケース１２内において固形石鹸Ｓを回転させつつ移動させることが可能な駆動部２０（石鹸台座２２，回転操作部２４）と、ケース１２に取り付けられるキャップ１４と、を有して構成される。
【００１５】
なお、本例では、携帯石鹸１０の形状として、円筒形状を採用したが、本発明はこれに限定されず、例えば、多角形状や円錐形状等であってもよい。
【００１６】
＜ケース＞
次に、ケース１２について説明する。
【００１７】
ケース１２は、平面視が円形状の上面１２ａと、この上面１２ａを基端として一方向に延出された筒状体１２ｂと、を有し、全体として、底面が開口された円筒形状の部材であり、例えば、プラスチック（アクリル樹脂，ポリカーボネート，塩化ビニル、ＡＢＳ樹脂，ポリプロピレン等）やアルミニウム等の材料で構成される。
【００１８】
ケース１２の上面１２ａには、固形石鹸Ｓの表面を削り取るための切削刃１２ｃが形成されている。また、図２に示すように、ケース１２の筒状体１２ｂの内壁には、ケース１２の下部から上部に亘って螺旋状に内ネジ１２ｄが形成されている。
【００１９】
なお、本例では、ケース１２の形状として、底面が開口された円筒形状を採用したが、本発明はこれに限定されず、例えば、多角形状や円錐形状等であってもよいし、複数の部材によって構成されていてもよい。
【００２０】
＜キャップ＞
次に、キャップ１４について説明する。
【００２１】
図１に示すように、キャップ１４は、平面視が円形状の上面１４ａと、この上面１４ａを基端として一方向に延出された環状の側面１４ｂと、を有し、全体として蓋形状の部材であり、例えば、プラスチック（アクリル樹脂，ポリカーボネート，塩化ビニル、ＡＢＳ樹脂，ポリプロピレン等）やアルミニウム等の材料で構成される。
【００２２】
キャップ１４の上面１４ａには、ケース１２の切削刃１２ａによって削り出された固形石鹸Ｓ´（図３参照）を切り離すことが可能な半円形状の切刃１４ｃが形成されている。
【００２３】
キャップ１４の上面１４ａは、ケース１２の上面１２ａよりもやや大きな直径を有しており、キャップ１４は、ケース１２の上面１２ａに回転可能に嵌め込まれる。キャップ１４を、図１や図３において符号Ａで示す方向に回転させることで、ケース１２の切削刃１２ａによって削り出された固形石鹸Ｓ´（図３参照）を、切刃１４ｃで根元から切り離すことが可能である。
【００２４】
また、キャップ１４は、図１に示す状態から、図１において符号Ａで示す方向に１８０度回転させることにより、ケース１２の切削刃１２ａを覆うことが可能な蓋体としても機能する。
【００２５】
なお、本例では、キャップ１４の形状として、蓋形状を採用したが、本発明はこれに限定されず、例えば、多角形状や円錐形状等であってもよい。また、切刃１４ｃの形状を半円形状としたが、ケース１２の切削刃１２ａよりもやや大きな外径を有する矩形形状の開口部等であってもよい。
【００２６】
＜駆動部＞
次に、駆動部２０（石鹸台座２２，回転操作部２４）について説明する。
【００２７】
駆動部２０は、図２に示すように、固形石鹸Ｓを載せて固定することが可能な石鹸台座２２と、固形石鹸Ｓを介して石鹸台座２２を回転させることが可能な回転操作部２４（回転軸２４ａ，摘み２４ｂ）と、を有して構成される。
【００２８】
石鹸台座２２は、平面視が円形状の下面２２ａと、この下面２２ａを基端として一方向に延出された筒状体２２ｂと、を有し、全体として、有底の円筒形状の部材であり、例えば、プラスチック（アクリル樹脂，ポリカーボネート，塩化ビニル、ＡＢＳ樹脂，ポリプロピレン等）やアルミニウム等の材料で構成される。
【００２９】
図示は省略するが、石鹸台座２２の下面２２ａには、後述する回転操作部２４の回転軸２４ａが挿通可能な挿通孔が形成されている。
【００３０】
石鹸台座２２の筒状体２２ｂには、円筒形状の固形石鹸Ｓを嵌め込んで固定することが可能な内側空間が形成され、この筒状体２２ｂの外壁には、石鹸台座２２の下部から上部に亘って螺旋状に、ケース１２の内ネジ１２ｄと螺合可能な外ネジ２２ｃが形成されている。
【００３１】
なお、本例では、石鹸台座２２の形状として、有底の円筒形状を採用したが、本発明はこれに限定されず、例えば、上面と下面が開口された円筒形状等であってもよい。
【００３２】
回転操作部２４は、固形石鹸Ｓの中心部に差し込まれる棒状の回転軸２４ａと、この回転軸２４ａの下端に固定された環状の摘み２４ｂと、を有し、例えば、プラスチック（アクリル樹脂，ポリカーボネート，塩化ビニル、ＡＢＳ樹脂，ポリプロピレン等）やアルミニウム等の材料で構成される。
【００３３】
図２や図３に示すように、回転軸２４ａの幅方向両側には、それぞれ、板状の突出部２４ａ１が形成されており、回転軸２４ａが回転すると、この回転軸２４ａに差し込まれて固定される固形石鹸Ｓも連動して回転するように構成されている。
【００３４】
一方、回転軸２４ａにおいて、固形石鹸Ｓの長手方向（図２における上下方向）の移動は規制されておらず、固形石鹸Ｓおよび石鹸台座２２は、一体となって、回転軸２４ａに対して長手方向（図２における上下方向）にスライド可能に構成されている。
【００３５】
すなわち、回転操作部２４は、固形石鹸Ｓ（および石鹸台座２２）を回転軸２４ａの軸心周りに回転させることが可能であるとともに、固形石鹸Ｓ（および石鹸台座２２）を回転軸２４ａの長手方向にスライド可能に支持することが可能な部材である。
【００３６】
＜使用方法＞
次に、携帯石鹸１０の使用方法について説明する。
【００３７】
使用者がケース１２の筒状体１２ｂを一方の手の指等で摘みながら、他方の手の指等で駆動部２０の摘み２４ｂを、図１において符号Ｂで示す方向に回転させると、摘み２４ｂに固定された回転軸２４ａが同方向に回転する。
【００３８】
回転軸２４ａが回転すると、回転軸２４ａに固定された固形石鹸Ｓが同方向に回転するとともに、この固形石鹸Ｓが嵌め込まれて固定された石鹸台座２２も同方向に回転する。
【００３９】
石鹸台座２２の外ネジ２２ｃは、ケース１２の内ネジ１２ｄに螺合されており、使用者が摘み２４ｂの回転を継続すると、石鹸台座２２および固形石鹸Ｓが一体となって、ケース１２の筒状体１２ｂの内壁に沿って上方に移動し、最終的に固形石鹸Ｓの上面がケース１２の上面１２ａの底部に当接する。
【００４０】
使用者が、さらに摘み２４ｂの回転を継続すると、固形石鹸Ｓの上面が切削刃１２ｃに接触し、固形石鹸Ｓが回転しつつ切削刃１２ｃに向けて押し出されることから、切削刃１２ｃによって固形石鹸Ｓの一部が削り取られ、キャップ１４の切刃１４ｃを通って、外部に排出される。なお、外部に排出される固形石鹸Ｓ´（図３参照）の長さ（分量）は、使用者が回転軸２４ａの回転量によって調整することができる。
【００４１】
また、使用者は、キャップ１４を、図１や図３において符号Ａで示す方向に回転させることで、ケース１２の切削刃１２ａによって削り出された固形石鹸Ｓ´（図３参照）を、キャップ１４の切刃１４ｃを用いて根元から切り離すことが可能である。
【００４２】
＜本願発明の内容と効果＞
以上説明したように、本実施形態に係る携帯石鹸（例えば、図１に示す携帯石鹸１０）は、固形石鹸を収容可能なケース（例えば、図１に示すケース１２）と、前記固形石鹸に接触可能に位置に配置された切削刃（例えば、図１に示す切削刃１２ｃ）と、前記ケース内において前記固形石鹸を回転させつつ前記切削刃に向けて押し出すことが可能な駆動部（例えば、図２に示す石鹸台座２２や回転操作部２４）と、を有して構成されている、ことを特徴とする携帯石鹸である。
【００４３】
本実施形態に係る携帯石鹸によれば、切削刃で削り出される薄型形状で水溶性の高い石鹸を好みに応じて排出することができ、削り出された石鹸に使用者が直接、触れることなく、石鹸を利用することができ、利便性を高めることができる。また、固形石鹸を切削刃に向けて押し出す構造を採用したため、ケース内の石鹸に水や雑菌等が直接、付着することがなく、石鹸を無駄なく最後まで使い切ることができる。
【００４４】
また、前記切削刃によって削り出された前記固形石鹸を切り離すことが可能な切刃（例えば、図１に示す切刃１４ｃ）を備えるものであってもよい。
【００４５】
このような構成とすれば、削り出された石鹸に使用者が直接、触れることなく、石鹸を利用することができ、利便性を高めることができる上に、不特定多数の者が使用した場合であっても、感染症等を未然に防止することが可能となる。
【００４６】
また、前記ケースは、前記切削刃が形成された上面（例えば、図１に示す上面１２ａ）と、該上面を基端として一方向に延出された筒状体（例えば、図１に示す筒状体１２ｂ）と、を有し、前記筒状体の内壁には、一端から他端に亘って内ネジ（例えば、図２に示す内ネジ１２ｄ）が形成されており、前記駆動部は、前記ケースの内ネジと螺合可能な外ネジ（例えば、図１に示す外ネジ２２ｃ）が形成され、かつ、前記固形石鹸を固定することが可能な石鹸台座（例えば、図２に示す石鹸台座２２）と、前記固形石鹸を介して前記石鹸台座を回転させることが可能な回転操作部（例えば、図２に示す回転軸２４ａや摘み２４ｂ）と、を有し、前記回転操作部によって前記固形石鹸を介して前記石鹸台座を回転させると、該固形石鹸および該石鹸台座が前記筒状体の内壁に沿って前記切削刃に向けて移動し、該切削刃によって前記固形石鹸の一部が削り出されるものであってもよい。
【００４７】
このような構成とすれば、構造を簡易にすることで低コスト化が実現可能であるとともに、容易な操作によって石鹸を削り出すことができ、使用者の利便性を高めることができる。
【００４８】
また、前記固形石鹸は前記切削刃に向けて一方向に移動可能に構成されているものであってもよい。
【００４９】
このような構成とすれば、使用者による誤った操作を防いで確実に石鹸を排出することが可能となり、利便性を高めることができる。
【００５０】
なお、本発明に係る携帯石鹸の構成は、上記実施形態に係る携帯石鹸の構成に限定されるものではなく、本発明の要旨を逸脱しない範囲内において種々変更を加え得ることは勿論である。
【００５１】
したがって、例えば、携帯石鹸１０は、キャップ１４を備えていなくてもよく、この場合、ケース１２の切削刃１２ａによって削り出された固形石鹸Ｓ´は、使用者が自身の指等で切り離せばよい。
【００５２】
また、切削刃１２ｃを、ケース１２の上面１２ａに設ける例を示したが、切削刃は、固形石鹸に接触可能に位置に配置されていればよい。また、駆動部２０の構造は特に限定されず、ケース内において固形石鹸を回転させつつ切削刃に向けて押し出すことが可能なものであればよい。
【産業上の利用可能性】
【００５３】
本発明に係る携帯石鹸は、旅行や出張等の外出時に携帯する日用品として広く利用が可能である。
【符号の説明】
【００５４】
Ｓ  石鹸
１０  携帯石鹸
１２  ケース
１２ｃ  切削刃
１２ｄ  内ネジ
１４  キャップ
１４ｃ  切刃
２０  駆動部
２２  石鹸台座
２２ｃ  外ネジ
２４  回転操作部
２４ａ  回転軸
２４ｂ  摘み
【要約】
【課題】薄型形状で水溶性の高い石鹸を好みに応じて排出することができる上に、ケース内の石鹸に水や雑菌等が直接、付着することがなく、石鹸を無駄なく最後まで使い切ることができる携帯石鹸を提供する。
【解決手段】携帯石鹸１０は、固形石鹸Ｓを収容可能なケース１２と、固形石鹸Ｓに接触可能に位置に配置された切削刃１２ｃと、ケース１２内において固形石鹸Ｓを回転させつつ切削刃１２ｃに向けて押し出すことが可能な駆動部（石鹸台座２２，回転操作部２４）と、を有して構成されている。
【選択図】図２【図１】
0006956432.tif 000002
【図２】
0006956432.tif 000003
【図３】
0006956432.tif 000004